(57)【要約】【課題】  新規の加入者に対する回線増設等を、テープ心線の追張り等を行うことなく、容易かつ安価に実現することのできる架空用光クロージャを得る。【解決手段】  複数のテープ心線を入線すると共に複数のテープ心線を出線し、テープ心線を相互に接続する光ケーブル接続部２７を内部に装備した架空用光クロージャ２１において、入線側及び出線側のテープ心線の少なくとも一部のテープ心線を光ケーブル接続部２７で単心線に分離した状態で単心線同士による相互接続を図る。【選択図】        図１
2005331692.tif 000002
【特許請求の範囲】
【請求項１】
複数のテープ心線を入線すると共に複数のテープ心線を出線し、前記テープ心線を相互に接続する光ケーブル接続部を内部に装備した架空用光クロージャにおいて、
入線側及び出線側の前記テープ心線の少なくとも一部のテープ心線を前記光ケーブル接続部で単心線に分離して接続することを特徴とする架空用光クロージャ。
【請求項２】
一端に前記テープ心線を接続可能にすると共に他端にケース内に収容され前記テープ心線の各単心線と接続した光コネクタプラグ及び該光コネクタプラグが接続される光コネクタ接続用アダプタを収納した光モジュールを装備したことを特徴とする請求項１記載の架空用光クロージャ。
【請求項３】
前記光モジュールを入線側及び出線側の前記テープ心線のそれぞれに接続すると共に、前記各光モジュールの光コネクタ接続用アダプタを中継コードで相互接続することを特徴とする請求項２に記載の架空用光クロージャ。
【請求項４】
入線側の前記テープ心線に前記光モジュールを接続し、前記光モジュールの光コネクタ接続用アダプタと出線側のテープ心線とを光コネクタ付分岐コードで相互接続することを特徴とする請求項２に記載の架空用光クロージャ。
【請求項５】
出線側の前記テープ心線に前記光モジュールを接続し、前記光モジュールの光コネクタ接続用アダプタと入線側のテープ心線とを光コネクタ付分岐コードで相互接続することを特徴とする請求項２に記載の架空用光クロージャ。
【請求項６】
前記光ケーブル接続部を収容する複数のトレイを具備したことを特徴とする請求項１乃至５のいずれか１項に記載の架空用光クロージャ。
【請求項７】
複数のテープ心線を入線すると共に複数のテープ心線を出線し、内部に前記テープ心線を相互に接続する光ケーブル接続部を装備してなる架空用光クロージャにおけるテープ心線の配線方法において、
入線側及び出線側の前記テープ心線のうち少なくとも一部のテープ心線をそれぞれ単心線に分離してコネクタ接続することを特徴とするテープ心線の配線方法。
【発明の詳細な説明】
【技術分野】
【０００１】
本発明は、地下ケーブルが地下クロージャを経て地上に立ち上げられたき線点において入出する複数のテープ心線相互の接続を行う架空用光クロージャと、そのクロージャ内でのテープ心線の配線方法に関する。
【背景技術】
【０００２】
通常、局と顧客との間を結ぶ光通信網を構築する場合、図１０に示すように、局１から導出した地下ケーブル３が入線する地下クロージャ５において需要を見込んだ立ち上げケーブル７を分岐させ、その立ち上げケーブル７が地上に立ち上げられるき線点９に配置された架空用光クロージャ１１で、固定配線区画内の例えば方面Ａと方面Ｂに収容心線数の割り当てを行い、割り当てた光ファイバ心線を架空ケーブル１３，１４として、各方面Ａ，Ｂに架設する。
図示例の場合、架空ケーブル１３は方面Ａに割り当てられたものであり、架空ケーブル１４は方面Ｂに割り当てられたものである。
【０００３】
なお、立ち上げケーブル７や、各方面Ａ，Ｂへの架空ケーブル１３，１４は、何れも、所定数（例えば、４本）の単心光ファイバ線をテープ状に配列・一体化したテープ心線の束である。
【０００４】
例えば、図１１に示すように、当初、き線点９から分配する方面Ａ及び方面Ｂの合計の需要数は９軒で、その内、き線点９から方面Ａにはｈ１〜ｈ５の５軒の需要があり、き線点９から方面Ｂにはｈ９〜ｈ１２までの４軒の需要があったとする。
【０００５】
その場合、図１２に示すように、立ち上げケーブル７は、最低３本の４心テープ心線７ａ，７ｂ，７ｃで構成する。また、５軒の需要を賄う方面Ａの架空ケーブル１３は２本の４心テープ心線１３ａ，１３ｂで構成し、４軒の需要を賄う方面Ｂの架空ケーブル１４は１本の４心テープ心線１４ａで構成する。
そして、き線点９に装備される架空用光クロージャ１１内では、入線する３本の４心テープ心線７ａ，７ｂ，７ｃと出線する３本の４心テープ心線１３ａ，１３ｂ，１４ａとを、所定の接続方法（例えば、融着、ＭＴコネクタ、メカニカルスプライス等）によりテープ心線単位で相互に接続する（例えば、特許文献１参照）。
【０００６】
上記のようにテープ心線の割り当てをした場合、架空ケーブル１３を構成する２本の４心テープ心線１３ａ，１３ｂの内、一方の４心テープ心線１３ａは、図１３（ａ）に示すように、構成する４本の単心線Ｓ１〜Ｓ４の全てが顧客ｈ１〜ｈ４に接続されて、使用済みとなる。また、他方の４心テープ心線１３ｂは、構成する４本の単心線Ｓ５〜Ｓ９の内、１本の単心線Ｓ５は顧客ｈ５に接続されて使用済みとなるが、残る３本の単心線Ｓ６，Ｓ７，Ｓ８は未接続のまま残される。
架空ケーブル１４を構成する１本の４心テープ心線１４ａは、図１３（ｂ）に示すように、構成する４本の単心線Ｓ９〜Ｓ１２の全てが顧客ｈ９〜ｈ１２に接続されて、使用済みとなる。即ち、架空ケーブル１４の場合は、未接続の単心線が無い状態になる。
【０００７】
【特許文献１】特開２０００−１４７２６８号公報
【発明の開示】
【発明が解決しようとする課題】
【０００８】
ところが、上記のように、き線点９における架空用光クロージャ１１内の配線接続をテープ心線単位で接続する場合には、方面Ａにおける未接続線を、方面Ｂに切り換えるような融通性を持たせることができず、顧客が見込みより増加した場合の追加等が不便になるという問題があった。
【０００９】
例えば、図１１に示すように、架空ケーブル１４の架設完了後に、顧客ｈ１３の追加加入があって、方面Ｂ側の回線数が不足した場合に、顧客ｈ１３への光ケーブルの接続は、図１４に示すように、方面Ａの架空ケーブル１３の終端を方面Ｂの架空ケーブル１４の終端に連絡させる架空延長ケーブル１５を架設して、方面Ａ側の未接続の単心線を方面Ｂ側に移す方法と、図１５に示すように、架空ケーブル１３の途中から、未接続の単心線をドロップ光ファイバ１７の形態で取り出して、顧客ｈ１３まで延々と布設する方法等が考えられる。
しかし、前者の方法の場合は、各方面Ａ，Ｂの各配線が混在してしまって設備管理が複雑になるという問題が発生し、また、架空延長ケーブル１５の布設に多額の費用がかかるという問題が発生する。
又、後者の方法でもドロップ光ファイバ１７の布設に多額の費用がかかるという問題があって、採用は現実に不可能である。
結局、空きの無い方面Ｂに新規に需要が発生した場合には、き線点９から新たに架空ケーブル１４上に、テープ心線を追加布設するしかなく、多額の増設費用がかかるという問題が生じる。
【００１０】
本発明の目的は、固定配線区画内において、空き回線を融通し合うことが可能で、新規の加入者に対する回線増設等を、テープ心線の追張り等を行うことなく、容易かつ安価に実現することのできる架空用光クロージャ及びテープ心線の配線方法を提供することである。
【課題を解決するための手段】
【００１１】
上記目的を達成するために、本発明に係る請求項１記載の架空用光クロージャは、複数のテープ心線を入線すると共に複数のテープ心線を出線し、前記テープ心線を相互に接続する光ケーブル接続部を内部に装備した架空用光クロージャにおいて、
入線側及び出線側の前記テープ心線の少なくとも一部のテープ心線を前記光ケーブル接続部で単心線に分離して接続することを特徴とする。
【００１２】
本発明に係る請求項２記載の架空用光クロージャは、請求項１に記載の架空用光クロージャにおいて、一端に前記テープ心線を接続可能にすると共に他端にケース内に収容され前記テープ心線の各単心線と接続した光コネクタプラグ及び該光コネクタプラグが接続される光コネクタ接続用アダプタを収納した光モジュールを装備したことを特徴とするとよい。
【００１３】
本発明に係る請求項３記載の架空用光クロージャは、請求項２に記載の架空用光クロージャにおいて、前記光モジュールを入線側及び出線側の前記テープ心線のそれぞれに接続すると共に、前記各光モジュールの光コネクタ接続用アダプタを中継コードで相互接続することを特徴とするとよい。
【００１４】
本発明に係る請求項４記載の架空用光クロージャは、請求項２に記載の架空用光クロージャにおいて、入線側の前記テープ心線に前記光モジュールを接続し、前記光モジュールの光コネクタ接続用アダプタと出線側のテープ心線とを光コネクタ付分岐コードで相互接続することを特徴とするとよい。
【００１５】
本発明に係る請求項５記載の架空用光クロージャは、請求項２に記載の架空用光クロージャにおいて、出線側の前記テープ心線に前記光モジュールを接続し、前記光モジュールの光コネクタ接続用アダプタと入線側のテープ心線とを光コネクタ付分岐コードで相互接続することを特徴とするとよい。
【００１６】
本発明に係る請求項６記載の架空用光クロージャは、請求項１乃至請求項５のいずれか一項に記載の架空用光クロージャにおいて、前記光ケーブル接続部を収容する複数のトレイを具備したことを特徴とするとよい。
【００１７】
上記目的を達成するために、本発明に係る請求項７記載のテープ心線の配線方法は、複数のテープ心線を入線すると共に複数のテープ心線を出線し、内部に前記テープ心線を相互に接続する光ケーブル接続部を装備してなる架空用光クロージャにおけるテープ心線の配線方法において、
入線側及び出線側の前記テープ心線のうち少なくとも一部のテープ心線をそれぞれ単心線に分離してコネクタ接続することを特徴とする。
【発明の効果】
【００１８】
本発明の架空用光クロージャ及びテープ心線の配線方法によれば、き線点に装備される架空用光クロージャ内で、入線された複数のテープ心線に出線する複数のテープ心線を相互接続するが、それらのテープ心線相互の配線接続は、テープ心線単位ではなく、テープ心線を単心線に分離して単心線単位で接続しているため、入線された一つのテープ心線を構成している複数本の単心線を、固定配線区画内の複数の方面に分配することが可能であるだけでなく、適時、クロージャ内での単心線の接続先を変更するだけで、各方面の回線割り当て数を簡単に変更することができる。
即ち、固定配線区画内の複数の各方面相互では、クロージャ内での単心線単位でのコネクタ接続の一部の接続先を変更するという簡単な操作で、空き回線を融通し合うことが可能で、新規の加入者に対する回線増設等を、テープ心線の追張り等を行うことなく、容易かつ安価に実現することができる。
【発明を実施するための最良の形態】
【００１９】
以下、本発明に係る架空用光クロージャ及びテープ心線の配線方法の好適な実施の形態について、図面を参照して詳細に説明する。
なお、以下に説明する実施の形態において、既に図１０乃至図１３において説明した部材と同一の構成については、図中に同一符号あるいは相当符号を付すことにより説明を簡略化あるいは省略する。
【００２０】
図１は、本発明に係る架空用光クロージャの一実施の形態の内部構造を示す正面図である。
この一実施の形態の架空用光クロージャ２１は、図１０に示したように、局１から導出された地下ケーブル３が地下クロージャ５を経て地上に立ち上げられたき線点９に装備される。
この架空用光クロージャ２１は、メッセンジャワイヤ等の支持線２３によって架設されるケース２５によって、光ケーブル相互の接続部を収容している。なお、架空用光クロージャ２１は、上記の支持線２３に代わって、吊り線や補助棒等によっても架設される。
ケース２５は、正面を開放した略箱形で、正面の開放面は、図示略の開閉式のカバーによって密閉可能になっている。
【００２１】
この架空用光クロージャ２１のケース２５には、立ち上げケーブル７を構成している複数のテープ心線７ａ，７ｂ，……を入線すると共に、固定配線区画内の各方面（例えば、方面Ａ，方面Ｂ……）に割り当てた複数のテープ心線で構成される架空ケーブル１３，１４を出線し、更にこれらの入線及び出線のテープ心線相互を接続する光ケーブル接続部２７が装備されている。
【００２２】
ケース２５の内部中央には、上下方向に多段に、複数の配線接続用のトレイＴ１〜Ｔ７が装備されている。
トレイＴ１〜Ｔ３は、入線及び出線のテープ心線をテープ心線単位で相互に接続する光コネクタ（ＭＴコネクタ）の収容部として使用されている。
トレイＴ４〜Ｔ７は、本発明の特長的な構成要素であり、後述する単心線を振り分けるための切替用モジュールの収容部として使用される。
【００２３】
トレイＴ４〜Ｔ７に収容される複数個の光ケーブル接続部２７の内、例えば、架設される固定配線区画において少なくとも一部が空き回線となる可能性のある出線側のテープ心線と入線側のテープ心線の先端には、例えば、図２に示すようなＦ０コード(Fan-Out-Code；光コネクタ付分岐コード)Ｋを接続して、それぞれのＦ０コードＫを介して、単心線単位での接続を行う。
【００２４】
Ｆ０コードＫは、図２に示したように、テープ心線Ｔｋの一端側に他のテープ心線に一括接続するためのＭＴコネクタＣｍが接続されると共に、テープ心線Ｔｋの他端側を所定の分岐処理を施した分岐部Ｂを経て、個々の単心線ｋ１，ｋ２，ｋ３，ｋ４に分離し、更に、分離したそれぞれの単心線ｋ１，ｋ２，ｋ３，ｋ４の先端には単心線相互のコネクタ接続のための光コネクタプラグ（例えば、ＭＵコネクタ）ｃ１，ｃ２，ｃ３，ｃ４を装備した形態に加工したものである。
【００２５】
このようなＦ０コードＫ同士は、それぞれのの各単心線ｋ１，ｋ２，ｋ３，ｋ４の光コネクタプラグｃ１，ｃ２，ｃ３，ｃ４が、光コネクタ接続用アダプタ（例えばＭＵコネクタ用）ａ１，ａ２，ａ３，ａ４を介して相互接続されることで、図３に示すように、単心線単位でのテープ心線相互間の接続を可能にする。
【００２６】
次に、上記実施の形態における単心線単位でのテープ心線の相互接続を実現するトレイＴ４〜Ｔ７上での具体的な配線接続パターンの具体的な実施例を以下に説明する。
【実施例１】
【００２７】
図４は、このような単心線単位でのテープ心線の相互接続を実現するトレイＴ４〜Ｔ７上での具体的な配線接続パターンの第１実施例を示したものである。
図４において、立ち上げケーブル７を構成するテープ心線７ａ，７ｂ，……に接続されたＦ０コードＫは、トレイＴ４〜Ｔ７上に設定された入線用の余長収容部３１で余長を吸収させた後に、先端の光コネクタプラグｃ１，ｃ２，ｃ３，ｃ４が入線用の光コネクタ接続用アダプタ３３に接続される。
一方、方面Ａの架空ケーブル１３を構成するテープ心線や方面Ｂの架空ケーブル１４を構成するテープ心線に接続されたＦ０コードＫは、トレイＴ４〜Ｔ７上に設定された出線用の余長収容部３５で余長を吸収させた後に、先端の光コネクタプラグｃ１，ｃ２，ｃ３，ｃ４が出線用の光コネクタ接続用アダプタ３７に接続される。
そして、入線用の光コネクタ接続用アダプタ３３と出線用の光コネクタ接続用アダプタ３７との間が、両端にＭＵコネクタプラグを装備した中継コード（ジャンパ線）ｊ１，ｊ２，……により、各単心線単位に接続されている。
【００２８】
以上に説明したＦ０コードＫの部分は、図５に示すように、各Ｆ０コードＫ毎に、余長部を単一のケース４１に収めて、Ｆ０コードＫの端部の光コネクタプラグｃ１，ｃ２，ｃ３，ｃ４相当品（図面を簡明にするため符号は略す）をケース４１の一側壁に整列配置した光コネクタ接続用アダプタ３３（３７）に内部接続した光モジュール４３に仕上げておくことで、Ｆ０コードＫによる接続部分を標準部品に規格化することができ、各トレイ上での接続処理作業を更に簡便にすることができる。
【００２９】
以上に説明した架空用光クロージャ２１によるテープ心線の配線接続方法によれば、き線点に装備される架空用光クロージャ２１内で、入線された複数のテープ心線に出線する複数のテープ心線を相互接続するが、それらのテープ心線相互の配線接続は、テープ心線単位ではなく、テープ心線をＦ０コードＫ又は光モジュール４３を介して単心線に分離して、且つ、図４及び図５に示すように、中継コード（ジャンパ線）ｊ１，ｊ２，……を使って任意の分離単心線同士を、単心線単位で接続しているため、入線された一つのテープ心線を構成している複数本の単心線を、図５に示したように、複数の方面に分配することが可能であるだけでなく、適時、中継コード（ジャンパ線）ｊ１，ｊ２，……による接続先を変更して、クロージャ２１内での単心線の接続先を変更するだけで、各方面の回線割り当て数を簡単に変更することができる。
即ち、固定配線区画内の複数の各方面相互では、クロージャ２１内での単心線単位でのコネクタ接続の一部の接続先を変更するという簡単な操作で、空き回線を融通し合うことが可能となる。従って、固定配線区画に割り当てられた心線の全てを有効に活用することができることとなり、新規の加入者に対する回線増設等を、テープ心線の追張り等を行うことなく、容易、かつ安価に実現することができる。
【００３０】
なお、架空用光クロージャ２１内に多段に装備された各トレイＴ４〜Ｔ７上でテープ心線相互を接続する場合の具体的な配線接続方法は、上記の図４及び図５に示した形態に限らない。以下に説明する図６乃至図９に示す各種の接続形態を、採用することができる。
【実施例２】
【００３１】
図６は、トレイＴ４〜Ｔ７上でのテープ心線相互の具体的な配線接続方法の第２実施例を示している。
この配線接続方法では、入線されるテープ心線７ｂの先端に接続したＦ０コードＫのトレイ上での処理は、図４に示した接続方法の場合と同様であるが、出線側の４心テープ心線１３ｃ，１４ａの先端に接続したＦ０コードＫの処理の仕方が異なっている。
【００３２】
この第２実施例では、出線側の４心テープ心線１３ｃ，１４ａの先端に接続したＦ０コードＫの先端の単心線単位に分離された各光コネクタプラグｃ１，ｃ２，ｃ３，ｃ４は、余長収容部３９を経た後、直接、入線側の光コネクタ接続用アダプタ３３に接続している。
このような配線接続形態にすることによって、中継コード（ジャンパ線）の使用を省略して、トレイＴ４〜Ｔ７内での配線材収納の煩雑を避け、又、接続点数も削減できて、接続作業を容易にすることができる。
【００３３】
図６に示した配線接続形態は、先に図５で説明した光モジュール４３を使用することで、図７のような接続形態にすることができる。
なお、図７において、符合４５で示したものは、スプリッタモジュールである。このスプリッタモジュール４５は、単心線を光学的に複数線に分離するもので、ケース４６内に余長を収容した単心線の一端側が、複数に分岐してケース４６の一面に配列したＭＵコネクタ接続用アダプタｃｘに接続し、他端はケース４６から所定長導出させて、端部を光モジュール４３の光コネクタ接続用アダプタ３３に接続したもので、光モジュール４３とＦ０コードＫとの間を中継接続することができる。
【実施例３】
【００３４】
図８は、トレイＴ４〜Ｔ７上でのテープ心線相互の具体的な配線接続方法の第３実施例を示している。
この配線接続方法では、出線側の各４心テープ心線１３ａ，１３ｂ，１３ｃ，１４ａには、それぞれ光モジュール４３を接続しておき、光モジュール４３と入線側のテープ心線７ａとの間を、テープ心線７ａに接続したＦ０コードＫで接続している。
また、Ｆ０コードＫで分離した一本の単心線は、スプリッタモジュール４８を介して、複数に分岐させて、更に、出線側の各光モジュール４３に適宜振り分けて接続するようにしている。
【００３５】
スプリッタモジュール４８は、ケース４９内に余長を収容した単心線の一端側は、ケース４９の一面に配列したＭＵコネクタ接続用アダプタｃｙに接続すると共に、他端は複数に分岐させてケース４９から所定長導出させて、導出させた各単心線端部にＭＵコネクタプラグｃｚを装備して所定の光モジュール４３の光コネクタ接続用アダプタ３７に接続されたものである。
【実施例４】
【００３６】
図９は、トレイＴ４〜Ｔ７上でのテープ心線相互の具体的な配線接続方法の第４実施例を示している。
この配線接続方法では、出線側の各４心テープ心線１３ａ，１３ｂ，１３ｃ，１４ａ及び入線側の４心テープ心線にそれぞれＦ０コードＫを接続しておき、入線側及び出線側の各Ｆ０コードＫの任意なもの同士を、Ｆ０コードＫが接続可能なＭＵコネクタ接続用アダプタ５１を介して接続したものである。
【００３７】
なお、入線側に接続されたＦ０コードＫの一部の単心線は、スプリッタモジュール５３を介して、出線側のＦ０コードＫに接続している。
スプリッタモジュール５３は、入線側のＦ０コードＫが接続されるＭＵコネクタ接続用アダプタｃｙと、出線側のＦ０コードＫが接続されるＭＵコネクタ接続用アタプタｃｘとを、ケース５４に装備したものである。
【００３８】
以上の第２乃至第４実施例でも、第１実施例と同様に、クロージャ２１内での単心線単位でのコネクタ接続の一部の接続先を変更するという簡単な操作で、空き回線を融通し合うことが可能で、新規の加入者に対する回線増設等を、テープ心線の追張り等を行うことなく、容易かつ安価に実現することができる。
【図面の簡単な説明】
【００３９】
【図１】本発明に係る架空用光クロージャの一実施の形態の内部構造を示す正面図である。
【図２】図１に示した架空用光クロージャ内におけるテープ心線端部の処理構造の説明図である。
【図３】図１に示した架空用光クロージャ内におけるテープ心線相互の接続例の説明図である。
【図４】図１に示した架空用光クロージャ内の光ケーブル接続部のトレイ上での具体的な配線接続構造の第１実施例の説明図である。
【図５】図４に示した配線接続構造の一部を作業性の向上のためにモジュール化した場合の配線接続構造の模式図である。
【図６】図１に示した架空用光クロージャ内の光ケーブル接続部のトレイ上での具体的な配線接続構造の第２実施例の説明図である。
【図７】図６に示した配線接続構造の一部を作業性の向上のためにモジュール化した場合の配線接続構造の模式図である。
【図８】図１に示した架空用光クロージャ内の光ケーブル接続部のトレイ上での具体的な配線接続構造の第３実施例の模式図である。
【図９】図１に示した架空用光クロージャ内の光ケーブル接続部のトレイ上での具体的な配線接続構造の第４実施例の模式図である。
【図１０】き線点における通信網の架設構造の概略図である。
【図１１】き線点から各方面への架空ケーブルの布設形態の概略図である。
【図１２】き線点に設置される架空用光クロージャ内での入線と出線の接続形態を示す概略図である。
【図１３】き線点に設置された架空用光クロージャから出線する各架空ケーブルを構成しているテープ心線中の空き回線の有無の説明図である。
【図１４】空き回線を他方面に融通させる従来方法の一例の説明図である。
【図１５】空き回線を他方面に融通させる従来方法の他の例の説明図である。
【符号の説明】
【００４０】
７  立ち上げケーブル
７ａ，７ｂ，７ｃ  テープ心線
９  き線点
１３，１４  架空ケーブル
１３ａ，１３ｂ，１３ｃ，１４ａ  テープ心線
２１  架空用光クロージャ
２５  ケース
２７  光ケーブル接続部
４３  光モジュール
４５、４８，５３  スプリッタモジュール
ｃ１，ｃ２，ｃ３，ｃ４  光コネクタプラグ（ＭＵコネクタ）
Ｋ  Ｆ０コード（光コネクタ付分岐コード）
Ｔ１〜Ｔ７  トレイ
【図１】
2005331692.tif 000003
【図２】
2005331692.tif 000004
【図３】
2005331692.tif 000005
【図４】
2005331692.tif 000006
【図５】
2005331692.tif 000007
【図６】
2005331692.tif 000008
【図７】
2005331692.tif 000009
【図８】
2005331692.tif 000010
【図９】
2005331692.tif 000011
【図１０】
2005331692.tif 000012
【図１１】
2005331692.tif 000013
【図１２】
2005331692.tif 000014
【図１３】
2005331692.tif 000015
【図１４】
2005331692.tif 000016
【図１５】
2005331692.tif 000017